(57)【要約】      （修正有）【課題】現在市販されている靴用消臭具には、使えば無くなるため継続的にコストがかかる、毎日の手入れに負担を感じる、脱いだ靴への人目が気になる、消臭効果が弱い、といった難点があるため、これら難点を全てを解決する特性を持った靴用消臭具を提供する。【解決手段】１ｍｍ程度の厚さの銅板若しくは銅合金板１で、縦１３ｃｍ横４ｃｍ程度の縦長の形状に加工したものに大き目の取っ手２を両面テープで貼り付けて靴に出し入れしやすいようにし、片方の靴に一つずつ一晩程度入れておくことにより、銅イオンの抗菌作用による消臭効果を発揮させることで、従来の靴用消臭具の難点を解決する。【選択図】図１
0003160520.tif 000002
【実用新案登録請求の範囲】
【請求項１】
銅板、若しくは、銅合金板を縦長の形状にして、靴底に入れやすい形にすることで、銅イオンの抗菌作用で靴の悪臭を消臭する効果を発揮しやすくしたことを特徴とする靴用消臭具。
【請求項２】
請求項１に記載の銅板、若しくは、銅合金板に縦サイズの半分程度の大き目の取っ手２を両面テープで貼り付けて、靴に出し入れしやすくしたことを特徴とする靴用消臭具。
【請求項３】
請求項１に記載の銅板、若しくは、銅合金板の裏側の上下左右の四隅に突起を設けて、靴の中敷に密着しないようにしたことを特徴とする靴用消臭具。
【考案の詳細な説明】
【技術分野】
【０００１】
本考案は、靴用消臭具に関するものである。
【背景技術】
【０００２】
現在市販されている靴用消臭具は、（１）靴底にスプレーを噴霧することで消臭効果を期す「スプレー系」、（２）靴の中敷に消臭効果を持った素材を封入することで消臭効果を期す「中敷系」、（３）パウダー上の粉末を靴の中に一定期間滞留させることで消臭効果を期す「パウダー系」、（４）木材チップ／木炭が入った筒状の布袋／紙袋を靴の中に一定時間入れておくことで消臭効果を期す「木材チップ／木炭」系の４種類に大別される。しかし、「スプレー系」、「中敷系」、「パウダー系」は使えば無くなるため、消臭効果を長期間持続させるためには継続的コストを要するという共通の難点がある。その上、「中敷系」は中敷に含まれる消臭効果を持った素材が消耗すると、靴の消臭効果が薄れるだけでなく、中敷の表面のデザイン／印字がかすれて見栄えが悪くなることが多く、人前で靴を脱いだときに靴中への人目が気になるという難点、さらに、継続的に臭いの付いて汚れた中敷を交換しないといけないという難点がある。「パウダー系」は、消臭効果のあるパウダーを靴の中に噴霧した後、パウダーが溶解／気化するまでにパウダーそのものが靴下に付着していることから、その間に靴を脱ぐと靴下への人目が気になるという難点がある。「木材チップ／木炭」系は消臭効果が短期間しか持続しないという難点がある。このように、従来の靴用消臭具にはそれぞれ難点があり、靴用消臭具としての決め手に掛けている状況で、消費者は自分のニーズにある程度適合した靴用消臭具をやむなく使い続けている状況である。
【０００３】
上記のような状況に対して、銅イオンの持つ抗菌作用を靴の消臭に利用することで従来の靴用消臭具の難点を解決しようとするアイデアは以前より存在しており、その一つとして、１０円玉を数枚、靴の中に入れておくという方法が広く知られている。確かにこの方法や靴の消臭に若干の効果があるが、十分な消臭効果は得られず、靴の出し入れ時にチャリン、チャリンと音がして、お金を本来用途以外に用いていることへの罪悪感を感じさせる上、数枚の十円玉の出し入れが面倒であるため、長続きせず、靴の消臭方法としては普及していないのが現状である。
【考案の概要】
【考案が解決しようとする課題】
【０００４】
現在市販されている靴用消臭具には、使えば無くなるため継続的にコストがかかる、毎日の手入れに負担を感じる、脱いだ靴への人目が気になる、消臭効果が弱い、といった難点があるため、これら難点を全てを解決する特性を持った靴用消臭具を考案することが、本考案が解決しようとする課題である。この課題を解決するためには、（１）使っても減らない、（２）毎日の手入れが楽、かつ、不快感がない、（３）人前で靴を脱いだ時に靴、及び、靴下への人目に気にならない、（４）消臭効果が強力である、の４点を特性とした靴用消臭具を考案する必要がある。
【課題を解決するための手段】
【０００５】
銅板、若しくは、銅合金板を縦長の形状にして、靴底に入れやすい形にすることで、銅イオンの抗菌作用で靴の悪臭を消臭する効果を発揮しやすくしたことを特徴とする靴用消臭具を提供する。
この靴用消臭具は、縦サイズの半分程度の大き目の取っ手を両面テープで貼り付けて、靴に出し入れしやすくする特徴、及び、裏側の上下左右の四隅に突起を設けて、靴の中敷に密着しないようにする特徴を持たせ、使い勝手を向上させるとともに銅イオンの抗菌効果を発揮しやすくさせている。
【考案の効果】
【０００６】
本考案は、以下のような優れた効果を発揮することができる。
【０００７】
（１）取っ手を掴んで靴に一晩程度入れておくだけで極めて簡単に利用可能で、銅イオンの抗菌作用によって、靴内の悪臭の原因となっているバクテリアを殺菌、十分な消臭効果を発揮することができる。
（２）銅プレートはシンプルな構造で、製造工程に要する初期投資も少額で済むものである。このため、銅自体の原価が時期的な要因によって変動することを考慮しても、従来の消臭スプレーの２〜３本分程度の小売価格で長期間利用できる靴用消臭具を消費者に提供でき、靴の臭いに悩んでいる多くの人々の悩みを解決できる。
（３）靴の悪臭は、大人の靴だけでなく、運動をすることが多かったり新陳代謝が活発な幼稚園児、小学生の靴にも発生する。このため、子供用にサイズを小さくした銅プレートを提供することで、子供の靴の悪臭に悩んでいる母親の悩みも解決することができる。
【０００８】
また、本考案の試作品を靴用消臭具が必要となる代表的な靴の種類に適用した結果は以下の通りであり、銅イオンの抗菌作用が発揮される１０円玉より銅プレートの方が消臭効果が高いことを示している。
【表１】
0003160520.tif 000003
【図面の簡単な説明】
【０００９】
【図１】図１は銅プレートを上から見た図である。
【図２】図２は銅プレートを裏から見た図である。
【図３】図３は銅プレートを横から見た図である。
【図４】図４は銅プレートを靴の中に入れて利用するイメージ図である。
【考案を実施するための形態】
【００１０】
添付図面を参照して本考案の要旨を説明する。
【００１１】
本考案は、１ｍｍ程度の厚さ（持ち上げた際に曲がらず扱いやすければ、１ｍｍより薄くても可）の銅板若しくは銅合金板を縦１３ｃｍ横４ｃｍ程度の縦長の形状に加工したもの（１：以降、銅プレートと記述）を、縦サイズの半分程度の大き目の取っ手２を両面テープで貼り付けて靴に出し入れしやすいようにした上で、裏側の上下左右の四隅に突起３を設けて銅プレートが靴の中敷に密着しないようにしたことを特徴とする。この銅プレートを２個用意し、片方の靴に一つずつ４のように靴先に向けて挿し込み、５のような状態にしてから一晩程度入れておくことにより、銅イオンの抗菌作用による消臭効果をより発揮しやすくするように工夫を凝らした。
【００１２】
本考案は、従来の靴用消臭具の課題を解決するための特性を以下のように実現した。
【００１３】
「（１）使っても減らない」という特性は、主材料に銅板若しくは銅合金板を利用することで実現した。継続的に利用している期間において、緑青（人体には無害と厚生省が確認済み）が発生した場合、「酢に同量の塩を混ぜた溶液を布につけてこすり落とし、その後は食器用洗剤で洗う」といった、一般的な銅製品の手入れ方法を実施すれば、緑青を除去できるものであり、銅プレートを１回買えば、靴の消臭効果を保ったまま、銅プレートが磨耗・消耗することなく長期間利用できるものである。
【００１４】
「（２）毎日の手入れが楽、かつ、不快感がない」という特性は、銅プレートを靴に出し入れしやすい縦長の形状とし、それに縦サイズの半分程度の大き目の取っ手２を両面テープで貼り付けることで実現した。取っ手を掴んで利用することによって、靴底や銅板そのものに触れることなく、簡単に銅プレートを靴に出し入れすることができる。また、取っ手部分は靴底に直接触れることがなく、靴内の蒸れ／雨濡れなどの水分を吸収することが無いため、取っ手を掴む際に不快感を感じることはない。銅プレートの形状自体がシンプルでありながら洗練されたものであるため、靴から取り出した後も、次回利用時に備えて靴箱の上や玄関に置いたり玄関内の他の靴に入れておいても、人目が気にならない。
【００１５】
「（３）人前で靴を脱いだ時に靴、及び、靴下への人目に気にならない」という特性は、靴の中にスプレー状の気体を噴霧したり、パウダー状の粉末を投入したりしないことによって実現している。銅プレート自体は無臭であり、銅プレートを取り出して靴を通常利用している際に、靴、及び、靴下に影響を及ぼすことはない。
【００１６】
「（４）消臭効果が強力である」という特性は、銅プレートに銅板、若しくは、銅合金を利用することで実現している。銅プレートから発生する銅イオンが、靴底に発生する悪臭の原因となっているバクテリアをその優れた抗菌作用で殺菌するできるため、を縦１３ｃｍ横４ｃｍ厚さ１ｍｍ程度（１０円玉１０枚分程度）の質量で、靴の消臭効果を十分に発揮することができる。
【符号の説明】
【００１７】
１    銅板若しくは銅合金板
２    取っ手
３    銅板若しくは銅合金板の裏側の上下左右の四隅に突起
４    銅プレートを靴先に差し込む方向を矢印で示したイメージ図
５    銅プレートを靴先に差し込んだ後のイメージ図
【図１】
0003160520.tif 000004
【図２】
0003160520.tif 000005
【図３】
0003160520.tif 000006
【図４】
0003160520.tif 000007
【手続補正書】
【提出日】平成22年4月21日(2010.4.21)
【手続補正１】
【補正対象書類名】実用新案登録請求の範囲
【補正対象項目名】請求項２
【補正方法】変更
【補正の内容】
【請求項２】
前記銅板、若しくは、銅合金板に縦サイズの半分程度の大き目の取っ手２を両面テープで貼り付けて、靴に出し入れしやすくしたことを特徴とする請求項１に記載の靴用消臭具。
【手続補正２】
【補正対象書類名】実用新案登録請求の範囲
【補正対象項目名】請求項３
【補正方法】変更
【補正の内容】
【請求項３】
前記銅板、若しくは、銅合金板の裏側の上下左右の四隅に突起を設けて、靴の中敷に密着しないようにしたことを特徴とする請求項１に記載の靴用消臭具。